(57)【要約】【課題】設置方向に関わらず、良好に放送信号を受信できる、小型で携帯性に優れた無線通信式携帯型チューナを提供する。【解決手段】無線通信回路２０と放送受信回路１０を搭載した回路基板１と、無線通信回路２０に接続される無線通信用アンテナ２と、放送受信回路１０に接続される放送受信用アンテナ３を備え、回路基板１の両面に沿って、一対の導電性の遮蔽板４が配置され、放送受信用アンテナ３は、遮蔽板４に沿って、遮蔽板４から離れた位置にそれぞれ設けられ、遮蔽板４を放送受信用アンテナ３の反射板として機能させる。【選択図】図３
2013197636.tif 000002
【特許請求の範囲】
【請求項１】
無線通信回路と放送受信回路とを搭載した回路基板と、無線通信回路に接続される無線通信用アンテナと、放送受信回路に接続される放送受信用アンテナを備え、映像および音声を出力することができる情報機器と無線によって通信する無線通信式携帯型ＴＶチューナにおいて、前記回路基板の両面に沿って、一対の導電性の遮蔽板が配置され、前記放送受信用アンテナは、前記遮蔽板に沿って、前記遮蔽板から離れた位置にそれぞれ設けられ、前記遮蔽板を放送受信用アンテナの反射板として機能させることを特徴とする無線通信式携帯型ＴＶチューナ。
【請求項２】
請求項１に記載の無線通信式携帯型ＴＶチューナにおいて、前記回路基板の一方の面と、前記回路基板の一方の面に沿って配置された遮蔽版との間にバッテリーを有していることを特徴とする無線通信式携帯型ＴＶチューナ。
【請求項３】
請求項１または請求項２に記載の無線通信式携帯型ＴＶチューナにおいて、前記放送受信用アンテナは、ダイポールアンテナまたは、ループアンテナであることを特徴とする無線通信式携帯型ＴＶチューナ。
【請求項４】
請求項１から３のいずれかに記載の無線通信式携帯型ＴＶチューナにおいて、前記放送受信用アンテナと放送受信回路の間に整合回路を有することを特徴とする無線通信式携帯型ＴＶチューナ。
【請求項５】
請求項１から４のいずれかに記載の無線通信式携帯型ＴＶチューナにおいて、前記遮蔽板は、前記回路基板のシールドケースであることを特徴とする無線通信式携帯型ＴＶチューナ。
【請求項６】
請求項１から５のいずれかに記載の無線通信式携帯型ＴＶチューナにおいて、それぞれのアンテナが受信した信号を、選択ないし合成を行なう信号処理回路を有し、信号処理によってダイバシティ動作を行なうことを特徴とする無線通信式携帯型ＴＶチューナ。
【請求項７】
請求項１から６のいずれかに記載の無線通信式携帯型ＴＶチューナにおいて、前記遮蔽板と前記放送受信用アンテナの間に、誘電体部材を備えたことを特徴とする無線通信式携帯型ＴＶチューナ。
【発明の詳細な説明】
【技術分野】
【０００１】
本発明は、無線通信式携帯型ＴＶチューナに関し、特に放送波の受信特性を向上した無線通信式携帯型ＴＶチューナに関する。
【背景技術】
【０００２】
昨今、携帯電話やスマートフォン、タブレット型端末、携帯型のゲーム機器など、無線通信機能を搭載し、公衆回線や、ＬＡＮ回線に接続して通信を行なう情報機器が広く普及している。
【０００３】
このような情報機器と、地上波デジタル放送信号などの放送信号を受信する無線通信式携帯型放送ＴＶチューナとから構成され、情報機器で放送信号を受信する技術が、特許文献1に記載されている。
【０００４】
以下、図５を用いて、特許文献１に記載の無線通信式携帯型ＴＶチューナについて説明する。図５は、無線通信式携帯型ＴＶチューナの構成をしめすブロックダイヤグラムである。
【０００５】
特許文献１に記載の無線通信式ＴＶチューナは図５に示すように、受信部５２で受信したテレビ放送波は同調部５３で選局され復号された後、暗号化部５５で暗号化されて送信部５８、アンテナ共用器５７、アンテナ５６を介して近距離無線通信で携帯無線機器へ送信され再生されるので、情報機器で放送信号を受信することができる。
【先行技術文献】
【特許文献】
【０００６】
【特許文献１】特開２００８−３５３５０号公報
【発明の概要】
【発明が解決しようとする課題】
【０００７】
しかしながら、特許文献１に記載の無線通信式携帯型ＴＶチューナでは、無線通信式携帯型ＴＶチューナの設置方向が、放送信号を受信するのに適した方向でなく、受信状態が良くない場合に、ユーザがその場で設置方向を修正する事ができず、離れて設置されている場所まで行かなければならないという煩わしさを生じる虞があった。
【０００８】
また、特許文献１に記載の無線通信式携帯型ＴＶチューナでは、携帯性を確保するため小型化の必要があり、放送信号を受信するための放送受信用アンテナも、小型化が必要であるが、特許文献１に記載の無線通信式携帯型ＴＶチューナでは放送受信用アンテナについては触れられておらず、放送受信用アンテナを含めた無線通信式携帯型ＴＶチューナの小型化の課題は解決されていない。
【０００９】
本発明は、上記の課題を解決して、受信性能を向上し、設置された方向による受信状態の変動が少なく、小型で携帯性に優れた無線通信式携帯型ＴＶチューナを提供することを目的とする。
【課題を解決するための手段】
【００１０】
この課題を解決するために、請求項１に記載の無線通信式携帯型ＴＶチューナは、無線通信回路と放送受信回路を搭載した回路基板と、無線通信回路に接続される無線通信用アンテナと、放送受信回路に接続される放送受信用アンテナを備え、映像および音声を出力することができる情報機器と無線によって通信する無線通信式携帯型ＴＶチューナにおいて、前記回路基板の両面に沿って、一対の導電性の遮蔽板が配置され、前記放送受信用アンテナは、前記遮蔽板に沿って、前記遮蔽板から離れた位置にそれぞれ設けられ、前記遮蔽板を放送受信用アンテナの反射板として機能させることを特徴とする。
【００１１】
請求項２に記載の無線通信式携帯型ＴＶチューナは、請求項１に記載の無線通信式携帯型ＴＶチューナにおいて、前記回路基板の一方の面と、前記回路基板の一方の面に沿って配置された遮蔽版との間にバッテリーを有していることを特徴とする。
【００１２】
請求項３に記載の無線通信式携帯型ＴＶチューナは、請求項１または請求項２に記載の無線通信式携帯型ＴＶチューナにおいて、前記放送受信用アンテナは、ダイポールアンテナまたは、ループアンテナであることを特徴とする。
【００１３】
請求項４に記載の無線通信式携帯型ＴＶチューナは、請求項１から３のいずれかに記載の無線通信式携帯型ＴＶチューナにおいて、前記放送受信用アンテナと放送受信回路の間に整合回路を有することを特徴とする。
【００１４】
請求項５に記載の無線通信式携帯型ＴＶチューナは、請求項１から４のいずれかに記載の無線通信式携帯型ＴＶチューナにおいて、前記遮蔽板は、前記回路基板のシールドケースであることを特徴とする。
【００１５】
請求項６に記載の無線通信式携帯型ＴＶチューナは、請求項１から５のいずれかに記載の無線通信式携帯型ＴＶチューナにおいて、それぞれのアンテナが受信した信号を、選択ないし合成を行なう信号処理回路を有し、信号処理によってダイバシティ動作を行なうことを特徴とする。
【００１６】
請求項７に記載の無線通信式携帯型ＴＶチューナは、請求項１から６のいずれかに記載の無線通信式携帯型ＴＶチューナにおいて、前記遮蔽板と前記放送受信用アンテナの間に、誘電体部材を備えたことを特徴とする。
【発明の効果】
【００１７】
請求項１の発明によれば、放送受信用アンテナが回路基板の両面にそって、両側に配置されているので、指向性が広く、無線通信式携帯型ＴＶチューナが置かれる向きに関わらず良好に放送を受信することができ、遮蔽版をアンテナの反射板として機能させ、アンテナの利得を向上するので、受信性能を向上することができる。
【００１８】
請求項２の発明によれば、回路基板と遮蔽版との間に、バッテリーを配置したので、携帯型ＴＶチューナの投影面積が小さく、小型の無線通信式携帯型ＴＶチューナを実現することができる。
【００１９】
請求項３の発明によれば、放送受信用アンテナは、ダイポールアンテナまたは、ループアンテナで構成するので、グランドの面積や、グランドに対するアンテナの位置などの影響が少なく、アンテナによる無線通信式携帯型ＴＶチューナの受信性能を更に向上することができる。
【００２０】
請求項４の発明によれば、放送受信用アンテナと放送受信回路の間に整合回路を設けたので、両面の放送受信用アンテナそれぞれを個別に整合することや、両面のアンテナを一体的なアンテナとして動作させることで、無線通信式携帯型ＴＶチューナの受信性能を更に向上することができる。
【００２１】
請求項５の発明によれば、回路基板のシールドケースが、遮蔽板を兼ねるので、それぞれを個別に設けるより、更に小型に無線通信式携帯型ＴＶチューナを構成することができる。
【００２２】
請求項６の発明によれば、それぞれのアンテナが受信した信号を、選択ないし合成を行なう信号処理回路で、信号処理を行い、ダイバシティ動作を行なうので、無線通信式携帯型ＴＶチューナの受信性能を、更に向上させる事ができる。
【００２３】
請求項７の発明によれば、遮蔽板と放送受信用アンテナの間に、誘電体部材を備えることで、誘電体部材の誘電率によって、放送受信用アンテナの長さと、遮蔽板と放送受信用アンテナとの間の距離を短縮することが可能となり、無線通信式携帯型ＴＶチューナを一層小型に構成することができる。
【００２４】
以上により、本発明によれば、設置された方向による受信状態の変動が少なく、小型で携帯性に優れた、無線通信式携帯型ＴＶチューナを提供することができる。
【図面の簡単な説明】
【００２５】
【図１】第１実施形態の無線通信式携帯型チューナのブロック図
【図２】第１実施形態の無線通信式携帯型チューナの構造図
【図３】第２実施形態の無線通信式携帯型チューナのブロック図
【図４】第３実施形態の無線通信式携帯型チューナの構造図
【図５】従来の無線通信式携帯型チューナのブロック図
【発明を実施するための形態】
【００２６】
［第１実施形態］
以下に、本発明の第１実施形態における無線通信式携帯型チューナ１００について説明する。
【００２７】
まず始めに、第1実施形態における無線通信式携帯型チューナ１００の構成について、図１および図３を用いて説明する。図１は無線通信式携帯型チューナ１００の構成を示すブロック図である。
【００２８】
無線通信式携帯型チューナ１００は、図１に示すように、放送受信用アンテナ３と、整合回路１３と、選局回路１１と復調回路１２とからなる放送受信回路１０と、通信用ベースバンド回路２１と送受信回路２２とからなる無線通信回路２０と、無線通信用アンテナ２と、放送受信回路１０と無線通信回路２０を制御する制御回路３０を備えて構成されている。
【００２９】
図３は、無線通信式携帯型チューナ１００の構造を示す図であり、図３ａは無線通信式携帯型チューナ１００を回路基板１の側からみた構造図、図３ｂは図３ａのＡ−Ａ面の断面を示す図である。
【００３０】
無線通信式携帯型チューナ１００は、図３に示すように、無線通信回路と放送受信回路が搭載された回路基板１と、無線通信用アンテナ２と、放送受信用アンテナ３と、回路基板１と放送受信用アンテナ３の間に、前記回路基板の一部を覆う導電性の遮蔽板（シールドケース）４ａおよび遮蔽板４ｂと、回路基板に電源を供給するバッテリー５と、を備えている。
【００３１】
図３に示すように放送受信用アンテナ３は、回路基板１の一方の面側に配置されるループ形状の放送受信用アンテナ３ａと、回路基板１の他方の面側に配置されるループ形状の放送受信用アンテナ３ｂで構成されており、回路基板１およびバッテリー５を挟むように配置された遮蔽板４から外側に離れて配置されている。
【００３２】
図１に示すように整合回路１３は、放送受信用アンテナ３と選局回路１１に接続され、放送が行なわれている放送周波数帯において、放送受信用アンテナ３と選局回路１１のインピーダンスの不整合による損失を低減するよう構成されている。
【００３３】
選局回路１１は、放送受信用アンテナ３で受信し、整合回路１３を介して入力された複数の放送信号から、所望の放送信号を選局するよう制御回路３０によって制御され、選局された放送信号は復調回路１２へ出力される。
【００３４】
復調回路１２は、動作状態を制御回路３０によって制御され、制御された動作状態に基づいて、選局回路１１で選局された放送信号を復調してベースバンド信号に変換を行ない、変換したベースバンド信号を通信ベースバンド回路２１へ出力する。
【００３５】
通信ベースバンド回路２１は、無線通信を行うことで携帯端末から送られてくる制御コマンド信号に基づき制御回路３０によって制御され、復調回路１２から出力されたベースバンド信号を、通信方式に適合した形式の送信ベースバンド信号に変換を行ない、変換した送信ベースバンド信号を送受信回路２２に出力するとともに、送受信回路２２から出力される受信ベースバンド信号を復号し、制御コマンド信号として制御回路３０に出力する。
【００３６】
送受信回路２２は、通信ベースバンド回路２１によって通信周波数や無線通信の伝送速度等が制御されるとともに、２１から出力された送信ベースバンド信号を無線通信信号に変換し、通信用アンテナ２から送信するとともに、無線通信機能を持った携帯端末等の無線通信機器から送られてくる無線通信信号を受信し、復調して受信ベースバンド信号に変換して、通信ベースバンド回路２１へ出力する。
【００３７】
無線通信用アンテナ２は、送受信回路２２に接続され、無線通信信号の送信および受信を行なう。
【００３８】
制御回路３０は、通信ベースバンド回路２１から出力された制御コマンド信号に基づいて、選局回路１１の選局制御や、復調回路１２の動作制御、通信ベースバンド回路２１の通信制御などを、制御回路３０の内部に収納されているプログラムに従って制御を行なう。
【００３９】
次に、本発明の第１実施形態に係る無線通信式携帯型チューナ１００の動作について、図１を用いて説明する。
【００４０】
図１に示す無線通信式携帯型チューナ１００は、放送受信用アンテナ３で受信した放送信号が、放送受信用アンテナ３と選局回路１１の整合を行なう整合回路１３を経て、選局回路１１で選局され、選局された放送信号は、復調回路１２で、ベースバンド信号に変換される。
【００４１】
復調回路１２から出力されたベースバンド信号は、通信用ベースバンド部２１に入力され、無線通信に適した形式の送信ベースバンド信号に変換され、通信用送受信回路２２で無線通信信号に変換されて通信用アンテナ２から送出される。
【００４２】
無線通信式携帯型チューナ１００は、図示しない、映像および音声を出力する事ができる無線通信機能をもった情報機器と通信を行い、情報機器は、無線通信信号に含まれる、映像信号および音声信号を復号し、映像および音声信号として出力することで、放送を視聴することができる。
【００４３】
図３に示すように、無線通信式携帯型チューナ１００の放送受信用アンテナ３は、それぞれがループ形状をした、放送受信用アンテナ３ａと放送受信用アンテナ３ｂが、回路基板１の両面に沿って、両側にそれぞれ配置されているので、放送信号の到来方向が、回路基板１のどちら側であっても、回路基板１やバッテリー５にさえぎられることなく、放送波を受信することができる。
【００４４】
また、回路基板１とアンテナ３ａの間に遮蔽板４ａが設けられ、バッテリー５とアンテナ３ｂの間に遮蔽板４ｂが設けられているので、回路基板１に搭載されている無線通信回路や、放送受信回路などから生じる雑音が遮蔽され、放送受信用アンテナが、これらの雑音を受信することによる、受信感度の劣化を防ぐことができる。
【００４５】
さらに、遮蔽板４ａと放送受信用アンテナ３ａの間および、遮蔽板４ｂと放送受信用アンテナ３ｂの間が離れているので、遮蔽板４が放送受信用アンテナ３に対する反射板として作用し、放送受信用アンテナの利得が向上するので、受信感度が向上し、また放送受信用アンテナを小型化した場合においてもアンテナの利得低下を抑制することができる。
【００４６】
放送受信用アンテナ３は、ループ形状をしたループアンテナを用いており、平衡給電を行う事ができるので、回路基板１上の銅箔パターンや、シールドケースで構成される無線通信式携帯型チューナ１００のグランドの大きさや、グランドとの位置関係などの影響が少なく、性能のバラツキが少ないアンテナを実現できる。
【００４７】
バッテリー５を、回路基板１と面方向で重なるように配置したので、無線通信式携帯型チューナ１００の投影面積が減り、無線通信式携帯型チューナ１００を小型に構成することができる。
【００４８】
以上のように、本発明の第１実施形態によれば、放送受信用アンテナ３が回路基板１の両面に沿って、両側に配置されているので、指向性が広く、無線通信式携帯型ＴＶチューナ１００が置かれる向きに関わらず良好に放送を受信することができ、遮蔽版４を放送受信用アンテナ３の反射板として機能させ、放送受信用アンテナ３の利得を向上するので、受信性能を向上することができるので、設置された方向による受信状態の変動が少なく、小型で携帯性に優れた、無線通信式携帯型ＴＶチューナを提供することができる。
【００４９】
また、第１実施形態の無線通信式携帯型チューナ１００は、放送受信用アンテナ３と放送受信回路１０を構成する選局回路１１との間に、整合回路１３を備えているので、二つの放送受信用アンテナ３ａ、３ｂに均等に整合させる場合や、二つの放送受信用アンテナ３ａ、３ｂが一つのアンテナとして動作するように整合させる場合でも、放送受信用アンテナ３と、線局部１１との不整合で生じる損失を低減するので受信特性を向上することができる。
【００５０】
［第２実施形態］
以下に、本発明の第２実施形態における無線通信式携帯型チューナ２００について説明する。
【００５１】
本発明の第２実施形態に係る無線通信式携帯型チューナ２００の構造は、第１実施形態の無線通信式携帯型チューナ１００と同じく図３に示される。
【００５２】
図２は、無線通信式携帯型チューナ２００の構成を示すブロック図である。
【００５３】
無線通信式携帯型チューナ２００は、図２に示すように、放送受信用アンテナ３と、切換え回路１４と、選局回路１１と復調回路１２とからなる放送受信回路１０と、通信用ベースバンド部２１と通信用送受信回路２２とからなる無線通信回路２０と、無線通信用アンテナ２と、切換え回路１４と放送受信回路１０および無線通信回路２０を制御する制御回路３０を備えて構成されている。
【００５４】
切換え回路１４は、制御回路３０によって制御され、放送受信用アンテナ３ａまたは放送受信用アンテナ３ｂのいずれか一方を選択し選局回路１１へ接続を行なう。
【００５５】
復調回路１２は、動作状態を制御回路３０によって制御され、制御された動作状態に基づいて、選局回路１１で選局された放送信号を復調してベースバンド信号に変換を行ない、変換したベースバンド信号を通信ベースバンド回路２１へ出力するとともに、受信信号強度（ＲＳＳＩ）、信号対雑音比（ＣＮＲ）、ビット誤り率（ＢＥＲ）等の受信した放送信号の受信品質を表す信号を制御回路３０へ出力する。
【００５６】
制御回路３０は、通信ベースバンド回路２１から出力された制御コマンド信号と、復調回路１２から出力されたＲＳＳＩ、ＣＮＲ、ＢＥＲ等の受信した放送信号の受信品質を表す制御信号に基づいて、選局回路１１の選局制御や、復調回路１２の動作制御、切換え回路１４による放送受信アンテナの切換え制御、通信ベースバンド回路２１の通信制御などを、制御回路３０の内部に収納されているプログラムに従って制御を行なう。
【００５７】
次に、本発明の第２実施形態に係る無線通信式携帯型チューナ２００の動作について説明する。
【００５８】
図２に示す無線通信式携帯型チューナ２００は、放送受信用アンテナ３で受信した放送信号が、制御回路３０によって、放送受信用アンテナ３ａまたは３ｂの一方を選択して選局回路１１へ接続するよう制御される切換え回路１４を経て、制御回路３０によって所望の放送信号を選局するよう制御される選局回路１１で選局され、選局された放送信号は、放送信号を復調してベースバンド信号に変換する復調回路１２でベースバンド信号に変換される。
【００５９】
制御回路３０は、放送受信回路１０を構成する復調回路１２から、ＲＳＳＩ、ＣＮＲ、ＢＥＲ等の放送信号の受信品質を表す制御信号に基づき、例えばＲＳＳＩが一定の値以下になったら、切換え回路１４を制御し選局部に接続する放送受信用アンテナを３ａから３ｂに切換え、再度、復調回路１２からＲＳＳＩの値を受けて、ＲＳＳＩが他方より大きい放送受信アンテナを選択する、などのように、受信した放送信号の受信品質を表す制御信号がより良いほうの放送受信アンテナ３ａまたは３ｂを選択するよう切換え回路１４の制御を行なう。
【００６０】
図３に示すように、無線通信式携帯型チューナ１００の放送受信用アンテナ３は、それぞれループ形状をした放送受信用アンテナ３ａと放送受信用アンテナ３ｂが、回路基板１の両面にそって、両側にそれぞれ配置されているので、放送信号の到来方向が、回路基板１のどちら側であっても、放送信号の到来方向のアンテナを用いることで、回路基板１やバッテリー５にさえぎられることなく、放送波を受信することができる。
【００６１】
上記のように、本発明の第２実施形態に係る無線通信式携帯型チューナ２００によれば、放送受信用アンテナ３ａと３ｂが回路基板１の両面に沿って、両側に配置されているので、放送信号の到来方向が、回路基板１のどちら側であっても、放送信号の到来方向のアンテナを用いることで、回路基板１やバッテリー５にさえぎられることなく、放送波を受信することができるので、設置された方向による受信状態の変動が少なく、小型で携帯性に優れた、無線通信式携帯型ＴＶチューナを提供することができる。
【００６２】
また制御回路３０が、放送受信回路１０を構成する復調部１２から、放送信号の受信品質を表す制御信号に基づき、受信した放送信号の受信品質を表す制御信号がより良いほうの放送受信アンテナを選択するよう切換え回路１４の制御を行なうので、無線通信式携帯型チューナの向きや位置が変化するような場合でも、常により良好な受信状態で放送信号を受信する事ができる。
【００６３】
［第３実施形態］
以下に、本発明の第３実施形態における無線通信式携帯型チューナ３００について説明する。
【００６４】
図４は、無線通信式携帯型チューナ３００の構造を示す図であり、図４ａは無線通信式携帯型チューナ３００を回路基板１の側からみた構造図、図４ｂは図４ａのＡ−Ａ面の断面を示す図である。
【００６５】
無線通信式携帯型チューナ３００は、図４に示すように、通信無線通信回路と、放送受信回路が搭載された回路基板１と、無線通信用アンテナ２と、放送受信用アンテナ３と、回路基板１と放送受信用アンテナ３の間に、導電性の遮蔽板４と、回路基板に電源を供給するバッテリー５と、放送受信用アンテナ３と遮蔽板４との間に配置された、誘電体部材６を備えている。
【００６６】
放送受信用アンテナ３は、回路基板１の一方の面側に配置されるループ形状の放送受信用アンテナ３ａと、回路基板１の他方の面側に配置されるループ形状の放送受信用アンテナ３ｂで構成されており、回路基板１およびバッテリー５を挟むように配置された遮蔽板４から外側に離れて配置されており、誘電体部材６は、遮蔽板４ａと放送受信用アンテナ３ａの間に挟まれる位置および、遮蔽板４ｂと放送受信用アンテナ３ｂに挟まれる位置に、それぞれ配置されている。
【００６７】
誘電体部材７が、遮蔽板４ａと放送受信用アンテナ３ａの間に挟まれる位置および、遮蔽板４ｂと放送受信用アンテナ３ｂに挟まれる位置にそれぞれ配置されているので、誘電体部材６の比誘電率εｒによって、放送信号が誘電体部材６の内部を伝搬する速度が遅くなることによって、誘電体部材が無い場合と比較して、放送受信用アンテナ３ａおよび３ｂの実効長が長くなるので、放送受信用アンテナ３の利得が向上し、受信特性を向上させることや、放送受信用アンテナ３の利得が、誘電体部材が無い場合と同等になるよう放送受信用アンテナ３を小型化することができる。
【００６８】
また、誘電体部材６が、遮蔽板４ａと放送受信用アンテナ３ａの間に挟まれる位置および、遮蔽板４ｂと放送受信用アンテナ３ｂに挟まれる位置にそれぞれ配置されているので、誘電体部材６の比誘電率εｒによって、放送信号が誘電体部材６の内部を伝搬する速度が遅くなることによって、誘電体部材が無い場合と比較して、放送受信用アンテナ３と遮蔽板４の実効的な距離が大きくなるため、放送受信用アンテナ３と遮蔽板４との距離を狭めて配置する事ができる。
【００６９】
上記のように、本発明の第３実施形態に係る無線通信式携帯型チューナ２００によれば、放送受信用アンテナ３が回路基板１の両面にそって、両側にそれぞれ配置されているので、指向性が広く、無線通信式携帯型ＴＶチューナ１００が置かれる向きに関わらず良好に放送を受信することができ、設置された方向による受信状態の変動が少なく、小型で携帯性に優れた、無線通信式携帯型ＴＶチューナを提供することができる。
【００７０】
また誘電体部材６が、遮蔽板４ａと放送受信用アンテナ３ａの間に挟まれる位置および、遮蔽板４ｂと放送受信用アンテナ３ｂに挟まれる位置にそれぞれ配置したので、アンテナの利得を向上することや、アンテナの小型化を図ることできるので、更に無線通信式携帯型ＴＶチューナの受信特性を向上する事や、小型化することができる。
【００７１】
以上のように、本発明の無線通信式携帯型ＴＶチューナを具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００７２】
（１）本発明の第１から第３の実施例において、放送受信用アンテナ３ａおよび３ｂはループ形状をしたループアンテナを例示して説明を行なったが、ダイポールアンテナなど、他の種類のアンテナを用いることができる。
【００７３】
（２）本発明の第１から第３の実施例において、遮蔽板４ａは、回路基板１のシールドケースをかねた例で説明を行なったが、シールドケースとは別に遮蔽板を設ける構成にしても良い。
【００７４】
（３）本発明の第１から第３の実施例において、遮蔽板４ａは、回路基板１の一方の面に設けられたシールドケースとして説明を行なったが、シールドケースを回路基板２の両面に設ける構成にしても良い。
【００７５】
（４）本発明の第２の実施例において、放送受信用アンテナを切換えるアンテナ切換えダイバシティ方式を例示して説明を行なったが、選局回路や復調回路を複数設けて構成される検波後ダイバシティ方式や、最大比合成方式としても良い。
【符号の説明】
【００７６】
１      回路基板
２      無線通信用アンテナ
３      放送受信用アンテナ
３ａ    放送受信用アンテナ（ループアンテナ）
３ｂ    放送受信用アンテナ（ループアンテナ）
４      遮蔽板（シールドケース）
４ａ    遮蔽板（シールドケース）
４ｂ    遮蔽板
５      バッテリー
６      誘電体部材
１０    放送受信回路
１１    選局回路
１２    復調回路
１３    整合回路
１４    切換え回路（信号処理回路）
２０    無線通信回路
２１    通信用ベースバンド回路
２２    送受信回路
３０    制御回路
１００  本発明の第１実施形態の無線通信式携帯型チューナ
２００  本発明の第２実施形態の無線通信式携帯型チューナ
３００  本発明の第３実施形態の無線通信式携帯型チューナ
【図１】
2013197636.tif 000003
【図２】
2013197636.tif 000004
【図３】
2013197636.tif 000005
【図４】
2013197636.tif 000006
【図５】
2013197636.tif 000007